(57)【要約】  本発明に係る冷蔵庫は、貯蔵室と、該貯蔵室に収容されて上部に第１開口部が形成された下容器と、前記貯蔵室に収容され、前記下容器の上方に配置された上容器と、を備え、前記下容器は、該下容器の内部空間を仕切る第１仕切壁を有し、前記貯蔵室は、該貯蔵室の天面から下方に突出する第２仕切壁を有し、前記第１仕切壁の上端と前記第２仕切壁の下端との間の距離が１５０ｍｍ以下となっている。
2019043829.tif 000002
【特許請求の範囲】
【請求項１】
貯蔵室と、
該貯蔵室に収容されて上部に第１開口部が形成された下容器と、
前記貯蔵室に収容され、前記下容器の上方に配置された上容器と、
を備え、
前記下容器は、該下容器の内部空間を仕切る第１仕切壁を有し、
前記貯蔵室は、該貯蔵室の天面から下方に突出する第２仕切壁を有し、
前記第１仕切壁の上端と前記第２仕切壁の下端との間の距離が１５０ｍｍ以下となっている冷蔵庫。
【請求項２】
前記貯蔵室の内部における前記下容器よりも上方の空間と、前記下容器の内部の空間とを合わせた空間を、第１空間とし、
前記第１空間の容積を第１容積とした場合、
前記第１容積は０．０６ｍ３以上であり、
前記第１仕切壁、前記第２仕切壁、及び前記第１仕切壁の上端と前記第２仕切壁の下端とを接続する仮想平面によって分割された前記第１空間の各空間の容積は、０．０６ｍ３未満である請求項１に記載の冷蔵庫。
【請求項３】
前記貯蔵室は前面部に第２開口部が形成され、
該第２開口部を開閉自在に覆う扉を備え、
前記下容器は、前記扉に固定されている請求項１又は請求項２に記載の冷蔵庫。
【請求項４】
前記上容器は、該上容器が前記貯蔵室に収容された状態において前記第２仕切壁の下端と対向する位置に、該上容器の内部空間を仕切る第３仕切壁を有する請求項１〜請求項３のいずれか一項に記載の冷蔵庫。
【発明の詳細な説明】
【技術分野】
【０００１】
本発明は、食品等の被冷却物を収容する容器を備えた冷蔵庫に関する。
【背景技術】
【０００２】
従来の冷蔵庫には、貯蔵室内に、食品等の被冷却物を収容する容器を備えたものが提案されている。このような従来の冷蔵庫には、貯蔵室内において、上下方向に複数の容器を配置したものも提案されている（例えば、特許文献１参照）。
【先行技術文献】
【特許文献】
【０００３】
【特許文献１】特開２００２−２２３５３号公報
【発明の概要】
【発明が解決しようとする課題】
【０００４】
冷蔵庫が適合すべき規格として、例えば、国際安全規格ＩＥＣ６０３３５−１及びＩＥＣ６０３３５−２−２４がある。【０００５】
ＩＥＣ６０３３５−２−２４では、「扉、ふた、又は引出しを開け、棚、容器又は引出しを含む着脱できる部品を全て取り外した後で、６０Ｌ以上の容積をもつスペース」をフリースペースと定義している。また、ＩＥＣ６０３３５−１によると、工具を用いずに取り外しできる部品は、着脱できる部品に該当する。また、ＩＥＣ６０３３５−１によると、取り外し時に工具が必要な部品であっても、当該部品の脆弱な部分に対して最も不利となる方向に５０Ｎの押込み力又は引張力を静かに１０秒間加えた際に外れる部品の場合、着脱できる部品に該当する。【０００６】
また、ＩＥＣ６０３３５−２−２４には、貯蔵室内にフリースペースを有する冷蔵庫の構造について規定されている。このため、貯蔵室内に容器を備えた従来の冷蔵庫は、ＩＥＣ６０３３５−２−２４の規格を満足するために、例えば以下のように構成されることが考えられる。【０００７】
図９及び図１０は、貯蔵室内に容器を備えた従来の冷蔵庫において、ＩＥＣ６０３３５−２−２４の規格を満足するために想定される構造を示した図である。また、図１１は、図９及び図１０で示す冷蔵庫が備えた容器の斜視図である。なお、図９及び図１０で示した冷蔵庫１５０は、貯蔵室の一例である冷凍室１１３に、被冷却物を収容する容器１２０を備えている。また、図９は、冷凍室１１３の開口部１１３ａを開閉自在に閉塞する扉１１６を取り外した状態における、冷蔵庫１５０の冷凍室１１３の正面図である。また、図１０は、図９のＡ−Ａ断面図である。なお、図１０には、冷凍室１１３の開口部１１３ａを開閉自在に閉塞する扉１１６を図示している。【０００８】
冷蔵庫１５０は、前面部に開口部１１３ａが形成された冷凍室１１３を備えている。そして、開口部１１３ａは、該開口部１１３ａを開閉自在に覆う扉１１６で閉じられている。また、冷凍室１１３には、容器１２０が収容されている。この容器１２０は、上面部に開口部１２１が形成された略箱形形状をしており、被冷却物を収容するものである。なお、冷凍室１１３内には、製氷機１０７も設けられている。【０００９】
ＩＥＣ６０３３５−２−２４には、「フリースペースを持つ冷蔵庫の貯蔵室の扉は、内側から開けることができなければならない」という内容の規定が記載されている。ここで、容器１２０が冷凍室１１３から着脱できる構成であるとする。このような構成の場合、容器１２０が取り外された後の冷凍室１１３においては、内部から扉１１６を直接押して空けることが容易にできる。このため、冷蔵庫１５０がこのような構成の場合、ＩＥＣ６０３３５−２−２４の規定を満たすことができる。【００１０】
一方、容器１２０が扉１１６に固定され、容器１２０が扉１１６と共に移動する構成であるとする。このような構成の場合、容器１２０は、冷凍室１１３から着脱できない。このような構成の場合、冷凍室１１３内の人は、冷凍室１１３内から扉１１６を空けようとした際、容器１２０に入った状態で扉１１６を押さなければならない。このため、冷凍室１１３内から扉１１６を空けることができない。【００１１】
したがって、ＩＥＣ６０３３５−２−２４には、このような構成の冷蔵庫１５０において、「フリースペースを持つ冷蔵庫の貯蔵室の扉は、内側から開けることができなければならない」という内容の規定を満たす条件を定めている。具体的には、容器１２０の背面部１２３側に、規定以上の大きさの開口部１２３ａを設けることが記載されている。より詳しくは、容器１２０の横幅をｖとする。この場合、図１１に示すように、開口部１２３ａの横幅ｘは、容器１２０の横幅ｖの２／３以上の大きさでなければならない。また、図１０に示すように、開口部１２３ａの高さｙは、２５０ｍｍ以上でなければならない。容器１２０の背面部１２３側にこのような開口部１２３ａを設けることにより、冷凍室１１３内の人が開口部１２３ａから冷凍室１１３の背面を押すと、その押力の反作用によって扉１１６を開くことができるからである。【００１２】
しかしながら、容器１２０の背面部１２３側に上述のような開口部１２３ａを設けた場合、容器１２０の背面部１２３の高さが低くなってしまう。このため、容器１２０内の被冷却物が背面部１２３側から容器１２０外に落下してしまうという懸念が生じる。また、容器１２０において被冷却物を収容する容積が小さくなってしまうという懸念も生じる。【００１３】
このため、これらの懸念事項を払拭するため、容器１２０が冷凍室１１３から着脱できない冷蔵庫１５０においては、容器１２０を以下の図１２に示すような構成とすることも考えられる。【００１４】
図１２は、貯蔵室内に容器を備えた従来の冷蔵庫において、ＩＥＣ６０３３５−２−２４の規格を満足するために想定される構造の別の一例を示した図である。なお、図１２は、図１０のＢ−Ｂ断面に相当する位置で切断された冷蔵庫１５０の冷凍室１１３を示している。【００１５】
図１２に示すように、冷凍室１１３の内部における容器１２０よりも上方の空間と、容器１２０の内部の空間とを合わせた空間を、空間Ｓとする。この場合、空間Ｓの容積が０．０６ｍ３（６０Ｌ）未満であれば、冷凍室１１３がフリースペースを持たないこととなるので、上述のような開口部１２３ａを設ける必要がない。また、空間Ｓの容積が０．０６ｍ３（６０Ｌ）以上であっても、容積が０．０６ｍ３（６０Ｌ）未満の空間に空間Ｓを分割できれば、冷凍室１１３がフリースペースを持たないこととなるので、上述のような開口部１２３ａを設ける必要がない。【００１６】
ここで、ＩＥＣ６０３３５−２−２４では、容積を計算する際、１つの寸法が１５０ｍｍ以下のスペースは無視できることが記載されている。このため、図１２に示すように、容器１２０の内部空間を仕切る仕切壁１２２を、容器１２０から着脱できないように該容器１２０に設けてもよい。この際、仕切壁１２２の上端と冷凍室１１３の天面１１３ｂとの間の距離ｗを１５０ｍｍ以下とすることにより、冷凍室１１３内の容積を計算する際、仕切壁１２２の上端と冷凍室１１３の天面１１３ｂとの間の空間を無視することができる。すなわち、冷凍室１１３内の容積を計算する際、仕切壁１２２の上端と冷凍室１１３の天面１１３ｂとの間が仕切られているとみなすことができる。このため、空間Ｓの容積が０．０６ｍ３（６０Ｌ）以上であっても、冷凍室１１３内を、容積が０．０６ｍ３（６０Ｌ）未満の空間である空間Ｓ１と空間Ｓ２とに分割することができる。これにより、冷凍室１１３がフリースペースを持たないことにすることができる。【００１７】
ところで、特許文献１にも示されているように、従来の冷蔵庫には、貯蔵室内において、上下方向に複数の容器を配置したものも提案されている。すなわち、図１２に示した冷蔵庫１５０において、容器１２０の上方に上容器が配置される場合がある。このような場合、以下の様な課題が発生してしまう。【００１８】
図１３は、図１２に示す構成の冷蔵庫に対して上容器を設けた例を示す図である。
容器１２０の上方に上容器１３０を配置する場合、上容器１３０の容積が所望の容積となるように、容器１２０の高さを低くする必要がある。一方、冷凍室１１３がフリースペースを持たないことにするためには、仕切壁１２２の上端と冷凍室１１３の天面１１３ｂとの間の距離ｗを１５０ｍｍ以下にする必要がある。このため、仕切壁１２２の上端が、容器１２０の開口部１２１の周縁部に対して、上方に突出してしまう。換言すると、仕切壁１２２の上端が、容器１２０の上部の周縁部に対して、上方に突出してしまう。したがって、容器１２０の上方に上容器１３０を配置するには、上容器１３０に、仕切壁１２２の上端との干渉を避けるための凹部１３０ａを形成する必要がある。【００１９】
このため、仕切壁１２２を設けた容器１２０の上方に上容器１３０を設ける場合、凹部１３０ａの分だけ、上容器１３０の容積が小さくなってしまい、上容器１３０の被冷却物の収容性能が低下してしまうという課題があった。また、仕切壁１２２を設けた容器１２０の上方に上容器１３０を設ける場合、凹部１３０ａにより、上容器１３０の意匠性が低下してしまうという課題もあった。【００２０】
本発明は、上記のような課題を解決するためになされたものである。本発明は、容器に仕切壁を設けることによって貯蔵室内にフリースペースを持たない構成とした冷蔵庫において、仕切壁を有する容器の上方に配置された上容器の収容性能及び意匠性の低下を抑制することができる冷蔵庫を提供することを目的とする。
【課題を解決するための手段】
【００２１】
本発明に係る冷蔵庫は、貯蔵室と、該貯蔵室に収容されて上部に第１開口部が形成された下容器と、前記貯蔵室に収容され、前記下容器の上方に配置された上容器と、を備え、前記下容器は、該下容器の内部空間を仕切る第１仕切壁を有し、前記貯蔵室は、該貯蔵室の天面から下方に突出する第２仕切壁を有し、前記第１仕切壁の上端と前記第２仕切壁の下端との間の距離が１５０ｍｍ以下となっている。
【発明の効果】
【００２２】
本発明に係る冷蔵庫は、第１仕切壁の上端と第２仕切壁の下端との間の距離が１５０ｍｍ以下となっている。このため、本発明に係る冷蔵庫は、貯蔵室内の各空間を０．０６ｍ３（６０Ｌ）未満の容積とすることができ、フリースペースを有しない貯蔵室とすることができる。また、本発明に係る冷蔵庫においては、第２仕切壁を貯蔵室の天面に設けているので、第１仕切壁の高さを抑えることができる。このため、本発明に係る冷蔵庫は、従来の冷蔵庫１５０の上容器１３０に形成されていた凹部１３０ａが必要ない。したがって、本発明に係る冷蔵庫においては、上容器の収容性能及び意匠性の低下を抑制することができる。
【図面の簡単な説明】
【００２３】
【図１】本発明の実施の形態に係る冷蔵庫の正面図である。
【図２】図１のＣ−Ｃ断面図である。
【図３】図２のＤ−Ｄ断面図である。
【図４】図３から上容器を取り外した図である。
【図５】本発明の実施の形態に係る冷蔵庫の下容器を示す分解斜視図である。
【図６】本発明の実施の形態に係る冷蔵庫の冷凍室の天面に仕切壁を取り付ける構成を説明するための分解斜視図であり、当該仕切壁近傍を示した要部拡大図である。
【図７】本発明の実施の形態に係る冷蔵庫の別の一例の冷凍室を正面側から見た縦断面図である。
【図８】本発明の実施の形態に係る冷蔵庫の別の一例の冷凍室を正面側から見た縦断面図である。
【図９】貯蔵室内に容器を備えた従来の冷蔵庫において、ＩＥＣ６０３３５−２−２４の規格を満足するために想定される構造を示した図である。
【図１０】貯蔵室内に容器を備えた従来の冷蔵庫において、ＩＥＣ６０３３５−２−２４の規格を満足するために想定される構造を示した図である。
【図１１】図９及び図１０で示す冷蔵庫が備えた容器の斜視図である。
【図１２】貯蔵室内に容器を備えた従来の冷蔵庫において、ＩＥＣ６０３３５−２−２４の規格を満足するために想定される構造の別の一例を示した図である。
【図１３】図１２に示す構成の冷蔵庫に対して上容器を設けた例を示す図である。
【発明を実施するための形態】
【００２４】
実施の形態．
図１は、本発明の実施の形態に係る冷蔵庫の正面図である。また、図２は、図１のＣ−Ｃ断面図である。なお、図２では、各貯蔵室の前面部の開口部を開閉自在に覆う扉のうち、冷凍室１３の開口部１３ａを覆う扉１６以外の扉の図示を省略している。また、図２に示す黒塗り矢印は、冷却器６で冷却された空気の流れを示している。
【００２５】
冷蔵庫５０は、前面部が開口した箱形形状である筐体１を備えている。この筐体１は、該筐体１の外周面部を構成する外箱２と、該筐体１の内周面部を構成する内箱３と、外箱２と内箱３との間に設けられた発泡断熱材４と、を備える。なお、外箱２と内箱３との間に、発泡断熱材４に加えて、真空断熱材を設けてもよい。
【００２６】
筐体１の内部は、仕切り部材５によって仕切られている。これにより、筐体１には、前面部に開口部を有する複数の貯蔵室１０が形成される。すなわち、冷蔵庫５０は、複数の貯蔵室１０を備えることとなる。本実施の形態の場合、筐体１の内部は、２つの仕切り部材５によって仕切られている。これにより、冷蔵庫５０は、３つの貯蔵室１０を備えることとなる。詳しくは、本実施の形態に係る冷蔵庫５０は、３つの貯蔵室１０として、冷蔵室１１、野菜室１２及び冷凍室１３を備えている。これらの貯蔵室１０の前面部に形成された各開口部は、扉によって開閉自在に覆われている。例えば、冷凍室１３は、前面部に開口部１３ａが形成されている。そして、開口部１３ａは、扉１６によって開閉自在に覆われている。
なお、開口部１３ａが、本発明の第２開口部に相当する。
【００２７】
また、冷蔵庫５０は、例えば冷凍室１３の後方となる位置に、冷却器６を備えている。そして、冷却器６で冷却された空気が各貯蔵室１０に供給され、各貯蔵室１０に収容された被冷却物を冷却する構成となっている。
【００２８】
本実施の形態に係る冷蔵庫５０においては、冷却器６で冷却された空気は、冷蔵室１１の背面部に設けられた吹出口から、冷蔵室１１内へ吹き出される。この空気は、冷蔵室１１内の被冷却物を冷却した後、冷蔵室１１と野菜室１２とを連通する風路を通って、野菜室１２へ流れ込む。そして、野菜室１２へ流れ込んだ空気は、野菜室１２内の被冷却物を冷却した後、図示せぬ戻り風路を通って冷却器６に戻る。なお、冷蔵庫５０は、冷蔵室１１内の温度を計測する温度センサー、及び冷却器６で冷却された空気が冷蔵室１１へ供給される際に通過する風路を開閉するダンパー等で構成された温度制御機構を備えている。そして、この温度制御機構は、冷蔵室１１内の温度が例えば３℃近傍となるように、ダンパーを開閉する。この場合、野菜室１２内の温度は、例えば７℃近傍の温度となる。
【００２９】
また、本実施の形態に係る冷蔵庫５０においては、冷却器６で冷却された空気は、冷凍室１３の背面部に設けられた吹出口から、冷凍室１３内へも吹き出される。この空気は、冷凍室１３内の被冷却物を冷却した後、図示せぬ戻り風路を通って冷却器６に戻る。なお、冷蔵庫５０は、冷凍室１３内の温度を計測する温度センサー、及び冷却器６で冷却された空気が冷凍室１３へ供給される際に通過する風路を開閉するダンパー等で構成された温度制御機構を備えている。そして、この温度制御機構は、冷凍室１３内の温度が例えば−１８℃近傍となるように、ダンパーを開閉する。
【００３０】
続いて、冷蔵庫５０の冷凍室１３内の詳細構成について説明する。
【００３１】
図３は、図２のＤ−Ｄ断面図である。また、図４は、図３から上容器を取り外した図である。
冷凍室１３には、下容器２０が収容されている。この下容器２０は、上面部に開口部２１が形成された略箱形形状をしており、被冷却物を収容するものである。下容器２０の横幅は、冷凍室１３内部の横幅よりも若干小さい寸法となっている。また、冷凍室１３には、上容器３０も収容されている。上容器３０は、被冷却物を収容するものであり、下容器２０の上方に配置されている。なお、本実施の形態では、上容器３０は、下容器２０の開口部２１の周縁部２０ｂに載置されている。すなわち、上容器３０は、下容器２０及び冷凍室から着脱できる構成となっている。また、冷凍室１３内には、製氷機７も設けられている。
なお、開口部２１が、本発明の第１開口部に相当する。
【００３２】
下容器２０は、扉１６に固定され、扉１６と共に移動する構成となっている。すなわち、下容器２０は、ＩＥＣ６０３３５−２−２４の規定において冷凍室１３から着脱できない構成となっている。また、冷凍室１３の内部における下容器２０よりも上方の空間と、下容器２０の内部の空間と、を合わせた空間を空間Ｓとした場合、空間Ｓの容積は０．０６ｍ３（６０Ｌ）以上となっている。そこで、本実施の形態に係る冷蔵庫５０は、下容器２０に図１１等で説明した開口部１２３ａを形成することを避けるため、容積が０．０６ｍ３（６０Ｌ）未満の複数の空間に空間Ｓを分割することを図っている。すなわち、容積が０．０６ｍ３（６０Ｌ）未満の複数の空間に空間Ｓを分割するため、本実施の形態に係る冷蔵庫５０の下容器２０は、該下容器２０の内部空間を仕切る仕切壁２２を備えている。仕切壁２２は、左右方向の例えば略中心部において前後方向に延びており、下容器２０の内部空間を横方向に区切っている。
なお、仕切壁２２が、本発明の第１仕切壁に相当する。空間Ｓが、本発明の第１空間に相当する。また、空間Ｓの容積が、本発明の第１容積に相当する。
【００３３】
ここで、上述のように、ＩＥＣ６０３３５−２−２４では、容積を計算する際、１つの寸法が１５０ｍｍ以下のスペースは無視できることが記載されている。このため、下容器２０の仕切壁２２の上端２２ａを冷凍室１３の天面１３ｂへ向けて延ばし、仕切壁２２の上端２２ａと冷凍室１３の天面１３ｂとの間の距離を１５０ｍｍ以下とすることが考えられる。これにより、空間Ｓを、容積が０．０６ｍ３（６０Ｌ）未満の複数の空間に分割することが可能となる。すなわち、冷凍室１３がフリースペースを持たないことにすることができる。
【００３４】
しかしながら、本実施の形態に係る冷蔵庫５０は、下容器２０の上方に上容器３０が配置されている。このため、上容器３０の容積が所望の容積となるように、下容器２０の高さを低くする必要がある。したがって、仕切壁２２の上端２２ａを天面１３ｂへ向けて延ばした場合、仕切壁２２の上端２２ａが、下容器２０の開口部２１の周縁部２０ｂに対して、上方に突出してしまう。換言すると、仕切壁２２の上端２２ａが、下容器２０の上部の周縁部２０ｂに対して、上方に突出してしまう。すなわち、上容器３０と仕切壁２２の上端２２ａとの干渉を避けるために、上容器３０に図１３で説明したような凹部を設けなければならない。これでは、上容器３０の容積が小さくなってしまい、上容器３０の被冷却物の収容性能が低下してしまう。また、上容器３０の意匠性も低下してしまう。
【００３５】
そこで、本実施の形態に係る冷蔵庫５０の冷凍室１３には、冷凍室１３の天面１３ｂから下方に突出する仕切壁１４が設けられている。この仕切壁１４は、下容器２０の仕切壁２２と同様に、前後方向に延びている。また、仕切壁１４は、上容器３０と干渉しないように、上容器３０の上方に配置されている。そして、下容器２０の仕切壁２２の上端２２ａと仕切壁１４の下端１４ａとの間の距離Ｌが、１５０ｍｍ以下となっている。
なお、仕切壁１４が、本発明の第２仕切壁に相当する。
【００３６】
上述のように、ＩＥＣ６０３３５−２−２４では、容積を計算する際、１つの寸法が１５０ｍｍ以下のスペースは無視できることが記載されている。このため、仕切壁２２の上端２２ａと仕切壁１４の下端１４ａとの間の距離Ｌを１５０ｍｍ以下とすることにより、冷凍室１３内の容積を計算する際、仕切壁２２の上端２２ａと仕切壁１４の下端１４ａとの間の空間を無視することができる。すなわち、冷凍室１３内の容積を計算する際、仕切壁２２の上端２２ａと仕切壁１４の下端１４ａとの間が、仕切壁２２の上端２２ａと仕切壁１４の下端１４ａとを接続する仮想平面で仕切られているとみなすことができる。このため、本実施の形態に係る冷蔵庫５０においては、仕切壁２２、仕切壁１４、及び仕切壁２２の上端２２ａと仕切壁１４の下端１４ａとを接続する仮想平面によって分割された空間Ｓの各空間Ｓ１，Ｓ２の容積を、０．０６ｍ３未満にできる。すなわち、冷凍室１３がフリースペースを持たないことにすることができる。
【００３７】
また、本実施の形態に係る冷蔵庫５０においては、仕切壁１４を冷凍室１３の天面１３ｂに設けているので、仕切壁２２の高さを抑えることができる。例えば、仕切壁２２の上端２２ａが下容器２０の開口部２１の周縁部２０ｂから突出することを防止できる。換言すると、仕切壁２２の上端２２ａを、下容器２０の開口部２１の周縁部２０ｂよりも下方に配置することができる。このため、本実施の形態に係る冷蔵庫５０においては、上容器３０に、図１３で説明したような凹部を設ける必要はない。したがって、本実施の形態に係る冷蔵庫５０においては、上容器３０の容積が小さくなってしまうことを抑制でき、上容器３０の被冷却物の収容性能が低下してしまうことを抑制できる。また、本実施の形態に係る冷蔵庫５０においては、上容器３０の意匠性の低下も抑制することができる。
【００３８】
ここで、本実施の形態に係る上容器３０は、該上容器３０が冷凍室１３に収容された状態において仕切壁１４の下端１４ａと対向する位置に、該上容器３０の内部空間を仕切る仕切壁３３を備えている。すなわち、上容器３０は、仕切壁３３により、それぞれ異なる被冷却物を収容できる第１保存部３１と第２保存部３２とに分けられている。本実施の形態の場合、第１保存部３１は、製氷機７の下方に配置され、製氷機７で作られた氷を収容している。このように上容器３０を構成することにより、第２保存部３２の被冷却物が第１保存部３１の方に崩れてきた場合でも、仕切壁１４によって、第２保存部３２に収容されている被冷却物が第１保存部に侵入することを防止できる。
なお、仕切壁３３が、本発明の第３仕切壁に相当する。また、図３に示す上容器３０には、仕切壁３３の下方に凹部が形成されている。この凹部は、仕切壁３３を射出成形等で作製する際にできるものであり、図１３で説明したような凹部ではないことを付言しておく。
【００３９】
ところで、ＩＥＣ６０３３５−２−２４では、冷凍室１３から着脱できる部品を全て取り外した後、冷凍室１３の容積を計算することとなっている。このため、下容器２０の仕切壁２２は、ＩＥＣ６０３３５−２−２４の規定において下容器２０の外郭部２０ａから着脱できない構成となっている。また、仕切壁１４は、ＩＥＣ６０３３５−２−２４の規定において天面１３ｂから着脱できない構成となっている。例えば、下容器２０の仕切壁２２は、以下の図５に示すように、下容器２０の外郭部２０ａに設けられている。また例えば、仕切壁１４は、以下の図６に示すように、天面１３ｂに設けられている。
【００４０】
図５は、本発明の実施の形態に係る冷蔵庫の下容器を示す分解斜視図である。また、図６は、本発明の実施の形態に係る冷蔵庫の冷凍室の天面に仕切壁を取り付ける構成を説明するための分解斜視図であり、当該仕切壁近傍を示した要部拡大図である。
図５に示すように、本実施の形態においては、下容器２０の仕切壁２２は、下容器２０の外郭部２０ａに、雄ネジ２３で固定されている。なお、仕切壁２２の外郭部２０ａへの固定構成は、図５に限定されない。例えば、仕切壁２２と外郭部２０ａとを一体成形品としてもよい。
また、図６に示すように、本実施の形態においては、仕切壁１４は、天面１３ｂに、雄ネジ１５で固定されている。なお、仕切壁１４の天面１３ｂへの固定構成は、図６に限定されない。例えば、仕切壁１４と天面１３ｂとを一体成形品としてもよい。すなわち、仕切壁１４と仕切り部材５とを一体成形品としてもよい。
【００４１】
以上、本実施の形態に係る冷蔵庫５０は、貯蔵室１０である冷凍室１３と、該冷凍室１３に収容されて上部に開口部２１が形成された下容器２０と、冷凍室１３に収容され、下容器２０の上方に配置された上容器３０と、を備えている。また、下容器２０は、該下容器２０の内部空間を仕切る仕切壁２２を有している。また、冷凍室１３は、該冷凍室１３の天面１３ｂから下方に突出する仕切壁１４を有している。そして、仕切壁２２の上端２２ａと仕切壁１４の下端１４ａとの間の距離が１５０ｍｍ以下となっている。
【００４２】
このため、本実施の形態に係る冷蔵庫５０においては、仕切壁２２、仕切壁１４、及び仕切壁２２の上端２２ａと仕切壁１４の下端１４ａとを接続する仮想平面によって分割された空間Ｓの各空間Ｓ１，Ｓ２の容積を、０．０６ｍ３未満にできる。すなわち、冷凍室１３がフリースペースを持たないことにすることができる。
【００４３】
また、本実施の形態に係る冷蔵庫５０においては、仕切壁１４を冷凍室１３の天面１３ｂに設けているので、仕切壁２２の高さを抑えることができる。このため、本実施の形態に係る冷蔵庫５０においては、上容器３０に、図１３で説明したような凹部を設ける必要はない。したがって、本実施の形態に係る冷蔵庫５０においては、上容器３０の容積が小さくなってしまうことを抑制でき、上容器３０の被冷却物の収容性能が低下してしまうことを抑制できる。また、本実施の形態に係る冷蔵庫５０においては、上容器３０の意匠性の低下も抑制することができる。
【００４４】
なお、本実施の形態では、冷蔵庫５０の冷凍室１３内を正面側から観察した際、仕切壁１４は、下容器２０の仕切壁２２に対して左側に設けられていた。しかしながら、仕切壁２２に対する仕切壁１４の横方向の位置は、この位置に限定されるものではない。
【００４５】
図７及び図８は、本発明の実施の形態に係る冷蔵庫の別の一例の冷凍室を正面側から見た縦断面図である。なお、図７及び図８は、冷凍室１３から上容器３０を取り外した状態を示している。
例えば図７に示すように、冷蔵庫５０の冷凍室１３内を正面側から観察した際、仕切壁１４の横方向の位置を、下容器２０の仕切壁２２と略同位置としてもよい。また例えば図８に示すように、冷蔵庫５０の冷凍室１３内を正面側から観察した際、仕切壁１４の横方向の位置を、下容器２０の仕切壁２２よりも右側としてもよい。仕切壁２２に対する仕切壁１４の横方向の位置にかかわらず、仕切壁２２の上端２２ａと仕切壁１４の下端１４ａとの間の距離が１５０ｍｍ以下となっていれば、上述の効果を得ることができる。
【００４６】
また、仕切壁２２及び仕切壁１４によって上述のように貯蔵室１０内の空間を分割する構成は、冷凍室１３のみに採用できるわけではない。仕切壁２２及び仕切壁１４によって上述のように貯蔵室１０内の空間を分割する構成は、冷凍室１３以外でも、下容器及び上容器が収容された任意の貯蔵室に採用することができる。
【００４７】
また、仕切壁２２及び仕切壁１４によって上述のように貯蔵室１０内の空間を分割する構成は、貯蔵室１０から着脱できる下容器を備えた貯蔵室１０に採用しても勿論よい。
【符号の説明】
【００４８】
１  筐体、２  外箱、３  内箱、４  発泡断熱材、５  仕切り部材、６  冷却器、７  製氷機、１０  貯蔵室、１１  冷蔵室、１２  野菜室、１３  冷凍室、１３ａ  開口部、１３ｂ  天面、１４  仕切壁、１４ａ  下端、１５  雄ネジ、１６  扉、２０  下容器、２０ａ  外郭部、２０ｂ  周縁部、２１  開口部、２２  仕切壁、２２ａ  上端、２３  雄ネジ、３０  上容器、３１  第１保存部、３２  第２保存部、３３  仕切壁、５０  冷蔵庫、１０７  製氷機、１１３  冷凍室、１１３ａ  開口部、１１３ｂ  天面、１１６  扉、１２０  容器、１２１  開口部、１２２  仕切壁、１２３  背面部、１２３ａ  開口部、１３０  上容器、１３０ａ  凹部、１５０  冷蔵庫。
【図１】
2019043829.tif 000003
【図２】
2019043829.tif 000004
【図３】
2019043829.tif 000005
【図４】
2019043829.tif 000006
【図５】
2019043829.tif 000007
【図６】
2019043829.tif 000008
【図７】
2019043829.tif 000009
【図８】
2019043829.tif 000010
【図９】
2019043829.tif 000011
【図１０】
2019043829.tif 000012
【図１１】
2019043829.tif 000013
【図１２】
2019043829.tif 000014
【図１３】
2019043829.tif 000015
【国際調査報告】
2019043829.tif 000016
2019043829.tif 000017
2019043829.tif 000018
2019043829.tif 000019